(57)【要約】【課題】近年では、多色光の欠点の影響を受けにくい固体光源のモノクロ光を利用・採用した投影システムの開発・製造に目が向けられるようになった。投影システムにおいて多数のモノクロ光を利用する場合、投影システムの信頼性、性能、梱包サイズ、およびコストが課題として認識される一方、光源からの光の重ね合わせ処理が課題となる。【解決手段】照明装置１００において、２つの緑色光源１０８および１１２は、僅かに異なる波長の緑色光を出力する機能を有する。フィルタ１１６は、緑色光源１０８によって出力される光の光路と、緑色光源１１２によって出力される光の光路との交差個所に配置される。フィルタ１１６は、緑色光源１０８によって出力された光を透過し、緑色光源１１２によって出力された光を第１の光路に沿うよう反射する機能を有する二色性エッジフィルタである。【選択図】図１
2008542842.tif 000002
【特許請求の範囲】
【請求項１】
第１の色に対応する第１の波長範囲の光を出力する機能を有する第１の光源と、
第１の波長範囲の光を出力する機能を有する第２の光源と、
第１の光源によって出力される光の第１の光路と、第２の光源によって出力される光の第２の光路との交差個所に実質的に配置され、前記第１の光源によって出力された光を透過し、前記第２の光源によって出力された光を第１の光路に沿うよう反射する機能を有するフィルタと、
を備えることを特徴とする照明装置。
【請求項２】
前記フィルタは、二色性フィルタを有することを特徴とする請求項１に記載の照明装置。
【請求項３】
前記二色性フィルタは、エッジフィルタであることを特徴とする請求項２に記載の照明装置。
【請求項４】
前記エッジフィルタは、約５３０ナノメートルより長い波長を有する光を透過し、約５３０ナノメートルより短い波長を有する光を反射する機能を有することを特徴とする請求項３に記載の照明装置。
【請求項５】
前記フィルタは、偏光フィルタを有することを特徴とする請求項１に記載の照明装置。
【請求項６】
第２の色に対応する第２の波長範囲の光を出力する機能を有する第３の光源と、
前記フィルタを第１のフィルタとし、前記交差個所を第１の交差個所とした場合、第１の光路と前記第３の光源によって出力される光の第３の光路との第２の交差個所に実質的に配置され、前記第３の光源から受光した第２の波長範囲の光を反射し、前記第１の光源および前記第２の光源から受光した第１の波長範囲の光を透過する機能を有する第２のフィルタと、
をさらに備えることを特徴とする請求項１に記載の照明装置。
【請求項７】
第３の色に対応する第３の波長範囲の光を出力する機能を有する第４の光源と、
第１の光路と前記第４の光源によって出力される光の第４の光路との第３の交差個所に実質的に配置され、前記第４の光源から受光した第３の波長範囲の光を反射し、前記第３の光源から受光した第２の波長範囲の光を透過する機能を有する第３のフィルタと、
をさらに備えることを特徴とする請求項６に記載の照明装置。
【請求項８】
第１、第２、および第３の色は、それぞれ緑色、青色、および赤色であることを特徴とする請求項７に記載の照明装置。
【請求項９】
前記フィルタは、クロスプリズム内に配置されることを特徴とする請求項１に記載の照明装置。
【請求項１０】
前記フィルタは、統合デバイスの内部に配置されることを特徴とする請求項１に記載の照明装置。
【請求項１１】
第１の光に対応する第１の波長範囲の光を、第１の光路およびある交差個所において第１の光路を横切る第２の光路に沿って、実質的に当該交差個所に配置されるフィルタで受光するステップと、
第１の光路に沿って受光した第１の波長範囲の光が前記フィルタを透過するステップと、
第２の光路に沿って受光した第１の波長範囲の光が前記フィルタから反射するステップと、
を備えることを特徴とする照明方法。
【請求項１２】
第１の光源による第１の光路に沿って第１の波長範囲の光を出力するステップと、
第２の光源による第２の光路に沿って第１の波長範囲の光を出力するステップと、
をさらに備えることを特徴とする請求項１１に記載の照明方法。
【請求項１３】
前記フィルタを第１のフィルタとし、前記交差個所を第１の交差個所とした場合、第２の交差個所において第１の光路を横切る第３の光路に沿って、第３の光源による第２の色に対応する第２の波長範囲の光を出力するステップと、
実質的に第２の交差個所に配置された第２のフィルタから、前記第３の光源から受光した第２の波長範囲の光が反射するステップと、
第１の光源および第２の光源から受光した第１の波長範囲の光が前記第２のフィルタを透過するステップと、
をさらに備えることを特徴とする請求項１１に記載の照明方法。
【請求項１４】
第４の光源による第３の色に対応する第３の波長範囲の光を、第３の交差個所で第１の光路を横切る第４の光路に沿って出力するステップと、
実質的に第３の交差個所に配置された第３のフィルタから、第４の光源から受光した第３の波長範囲の光が反射するステップと、
第１の光源および第２の光源から受光した第１の波長範囲の光と、第３の光源から受光した第２の波長範囲の光とが、前記第３のフィルタを透過するステップと、
をさらに備えることを特徴とすることを特徴とする請求項１３に記載の照明方法。
【請求項１５】
第１の色に対応する第１の波長範囲の光を出力する機能を有する第１の光源と、
第１の波長範囲の光を出力する機能を有する第２の光源と、
第１の光源によって出力される光の第１の光路と、第２の光源によって出力される光の第２の光路との交差個所に実質的に配置され、第１の光源によって出力された光を透過し、第２の光源によって第１の光路に沿って出力された光を反射する機能を有するフィルタと、を有する照明装置と、
前記照明装置から受光し、受光した光を映像に調光する機能を有する複数の投影コンポーネントと、
を備えることを特徴とする照明システム。
【請求項１６】
前記複数の投影コンポーネントは、
前記照明装置から受光し、受光した光を統合する機能を有する統合デバイスと、
統合された光を受光し、受光した統合光を所定の画像に調光する機能を有するライトモジュレータと、
を有することを特徴とする請求項１５に記載の照明システム。
【請求項１７】
前記複数の投影コンポーネントは、ライトモジュレータにより調光された画像を投影する投影レンズをさらに有することを特徴とする請求項１５に記載の照明システム。
【請求項１８】
第１の光路に沿って第１の色の光を出力する機能を有する第１の光源と、
第２の光路に沿って第２の色の光を出力する機能を有する第２の光源と、
実質的に第１の光路と平行または同一線上に配置され、第１の色の光を透過し、第２の色の光を反射する機能を有する第１のフィルタと、第２の光路に実質的に平行または同一線上に配置され、第２の色の光を透過し、第１の色の光を反射する機能を有する第２のフィルタと、を有する交差フィルタデバイスと、
を備えることを特徴とする照明装置。
【請求項１９】
前記第１のフィルタおよび前記第２のフィルタは、第３の色の光を透過する機能をさらに有し、
前記第１のフィルタおよび前記第２のフィルタを横切る第３の光路に沿って、第３の色の光を出力する機能を有する第３の光源をさらに備えることを特徴とする請求項１８に記載の照明装置。
【請求項２０】
前記交差フィルタデバイスから受光し、受光した光を映像に調光する複数の投影コンポーネントをさらに備えることを特徴とする請求項１８に記載の照明装置。
【請求項２１】
前記投影コンポーネントは、前記交差フィルタデバイスから受光し、受光した光を統合する機能を有する統合デバイスを有することを特徴とする請求項２０に記載の照明装置。
【請求項２２】
前記投影コンポーネントは、統合された光を受光し、受光した光を所定の画像に調光する機能を有するライトモジュレータをさらに有することを特徴とする請求項２１に記載の照明装置。
【請求項２３】
前記第１のフィルタおよび前記第２のフィルタは、それぞれ第１の二色性フィルタおよび第２の二色性フィルタを有することを特徴とする請求項１８に記載の照明装置。
【請求項２４】
前記第１のフィルタおよび前記第２のフィルタは、それぞれ第１の偏光フィルタおよび第２の偏光フィルタを有することを特徴とする請求項１８に記載の照明装置。
【請求項２５】
第１の色、第２の色、および第３の色は、それぞれ青色、緑色、および赤色から成ることを特徴とする請求項１８に記載の照明装置。
【請求項２６】
交差フィルタデバイスの第１のフィルタと実質的に平行または同一直線上にある第１の光路に沿って交差フィルタデバイスに第１の色の光を出力するステップと、
交差フィルタデバイスの第２のフィルタと実質的に平行または同一直線上の第２の光路に沿って第２の色の光を交差フィルタデバイスに出力するステップと、
を備えることを特徴とする照明方法。
【請求項２７】
前記第１のフィルタおよび前記第２のフィルタを横切る第３の光路に沿って前記交差フィルタデバイスに第３の色の光を出力するステップをさらに備えることを特徴とする請求項２６に記載の照明方法。
【請求項２８】
第１のフィルタで第２の色の光を反射するステップと、
第１のフィルタを第１の色の光および第３の色の光が透過するステップと、
第２のフィルタで第１の色の光を反射するステップと、
第２のフィルタを第２の色の光および第３の色の光が透過するステップと、
を備えることを特徴とする請求項２７に記載の照明方法。
【請求項２９】
第１の色の光を出力する機能を有する第１の光源と、
第２の色の光を出力する機能を有する第２の光源と、
第３の色の光を出力する機能を有する第３の光源と、
第１面上に設けられた第１のフィルタコーティングおよび第２面上に設けられた第２のフィルタコーティングを有するプリズムと、を備え、
第１のフィルタおよび第２のフィルタは、選択的に光を透過および／または反射する機能を有し、
前記プリズムは、前記第１のフィルタコーティングおよび前記第２のフィルタコーティングの少なくとも一部における選択的な透過および／または反射に基づいて、前記第１の光源、前記第２の光源、および前記第３の光源からそれぞれ第１の色の光、第２の色の光、および第３の色の光を受光し、受光した光を実質的に共通光路に沿って出力する機能を有することを特徴とする照明装置。
【請求項３０】
前記第１の光源は、第１面において前記プリズムと交差する第１の光路に沿って第１の色の光を出力する機能を有し、前記第２の光源は、第２面において前記プリズムと交差する第２の光路に沿って第２の色の光を出力する機能を有することを特徴とする請求項２９に記載の照明装置。
【発明の詳細な説明】
【技術分野】
【０００１】
本発明に係る実施例は、投影システムの技術分野に関し、特にこのような投影システムにおける光源からの光路の組み合わせに関する。
【背景技術】
【０００２】
本出願は、２００５年５月３１日に出願された「ILLUMINATION ARRANGEMENTS FOR COLORED LIGHT EMITTING DEVICES」という名称の仮出願である第６０／６８６,３４４号、および２００６年５月３１日に出願された「ILLUMINATION ARRANGEMENTS FOR COLORED LIGHT SOURCES」という名称の通常の出願である第１１／４２１,４１７号に基づく優先権主張出願である。この仮出願および通常の出願は、本明細書においてそのすべての記載が組み込まれている。ただし、仮に本明細書に含まれていない部分がある場合は、その記載を除く。
【０００３】
マルチメディアの投影システムは、販売デモンストレーション、業務会議、教室でのトレーニングなどを目的として、また、ホームシアタの用途として普及している。一般に、マルチメディアの投影システムは、一つ以上のデジタル駆動ライトバルブを制御するため、データ源から映像信号を受信し、受信した映像信号をデジタル情報に変換する。このデジタル情報に基づいて、ビデオ画像を表す画像関連光に入射光を変換することができる。従来の投影システムでは、多色光を発する高エネルギーの放電ランプが頻繁に用いられてきた。このような従来の投影システムはランプ寿命が短く、初期の使用期間の経過後に明るさが低減するという短所を有していた。また、原色の光を選択的に操作するために、分割多色光に向けられた相当数の光源がある。
【発明の開示】
【発明が解決しようとする課題】
【０００４】
近年では、多色光の欠点の影響を受けにくい固体光源のモノクロ光を利用・採用した投影システムの開発・製造に目が向けられるようになった。投影システムにおいて多数のモノクロ光を利用する場合、投影システムの信頼性、性能、梱包サイズ、およびコストが課題として認識される一方、光源からの光の重ね合わせ処理が課題となる。
【発明を実施するための最良の形態】
【０００５】
以下の詳細な説明では、本願の一部を成す図面に関連して説明する。図面では、全体にわたって数字が部品などを示し、本発明が実施され得る特定の実施例が図によって示される。他の実施例を実施することができ、また、本発明に係る実施例の範囲から逸脱することなく構造上または論理的に変形可能であることは理解されるところである。例えば上面図、下面図、裏面図、および正面図が図面の説明において用いられる。これら各視点図は説明を容易にするために用いられ、本発明の実施例の適用を制限することを意図していない。したがって、以下の詳細な説明は、添付した特許請求の範囲およびその均等物によって画定される本発明の実施例の意義および範囲を制限するものではない。
【０００６】
本発明の目的とするところによれば、「Ａ／Ｂ」の語句は「ＡまたはＢ」を意味する。また、「Ａおよび／またはＢ」の語句は「（Ａ）、（Ｂ）、または（ＡおよびＢ）」を意味する。「Ａ、Ｂ、および／またはＣ」の語句は、「（Ａ）、（Ｂ）、（Ｃ）、（ＡおよびＢ）（ＡおよびＣ）、（ＢおよびＣ）、または（Ａ、Ｂ、およびＣ）」を意味する。「（Ａ）Ｂ」の語句は、「（Ｂ）または（ＡＢ）」を意味する。すなわち、Ａは任意の要素であることを意味する。
【０００７】
図１は、本発明の実施例に係る投影システムの照明装置１００を示す図である。照明装置１００は、多くの色光源から例えば光トンネルやフライ接眼レンズなどの統合デバイス１０４に光を結合させてもよい。本実施例において緑色光源１０８は、緑色光に対応する波長範囲の光を、統合デバイス１０４と実質的に同じ光軸に沿った光路で統合デバイス１０４に出力してもよい。光源１０８は、多くのフィルタおよびレンズ１１０を通じて統合デバイス１０４に光学的に接続されていてもよい。
【０００８】
ある実施例では、他の緑色光源１１２は、例えば５００−５６０ナノメートル（ｎｍ）といった緑色の波長範囲の光を出力してもよい。フィルタ１１６は、光源１０８からの光を透過し、光源１１２からの光を統合デバイス１０４に向けて反射する機能を有していてもよい。
【０００９】
ある実施例では、２つの緑色光源１０８および１１２は、僅かに異なる波長の緑色光を放射してもよい。本実施例では、フィルタ１１６は緑色光源１０８からの光の通過に適する一方、緑色光源１１２からの光を反射する機能を有する二色性フィルタであってもよい。例えば、緑色光源１０８は平均波長がおよそ５４０ナノメートル（ｎｍ）の光を出力してもよく、緑色光源１１２は平均波長がおよそ５２０ナノメートルの光を出力してもよい。フィルタ１１６は、５３０ナノメートル以下の波長を有する光を反射する一方、５３０ナノメートルより長い波長の光を透過する機能を有する二色性エッジフィルタであってもよい。
【００１０】
別の実施例では、フィルタ１１６はある偏光を反射すると共に、ある直交偏光を透過する機能を有する偏光フィルタであってもよい。例えば、光源１０８は、垂直偏光を放射してもよく、光源１１２は水平偏光を放射できてもよい。本実施例では、フィルタ１１６は、例えば光源１１２からの光などの水平偏光を透過してもよく、例えば光源１０８からの光などの垂直偏光を反射してもよい。
【００１１】
さまざまな実施例において、光源１０８および／または１１２は、適切な偏光を放射する機能を有する様々な偏光構成要素を有していてもよい。さらに、さまざまな実施例において、更なるまたは他の偏光手段が用いられてもよい。
【００１２】
青色光源１２０は、例えば４４０−４８５ｎｍなど青色の波長範囲の光を出力してもよい。フィルタ１２４は、青色光源１２０からの光を反射してもよく、緑色光源１０８および１１２からの光を透過してもよい。
【００１３】
赤色光源１２８は、例えば６２５−７４０ｎｍなど赤色の波長範囲の光を出力してもよい。フィルタ１３２は、赤色光源１２８からの光を統合デバイス１０４に向けて反射してもよく、緑色光源１０８と１１２、および青色光源１２０からの光を透過してもよい。
【００１４】
さまざまな実施例において、本願明細書において記載されている照明装置は、光源の追加／削除、たとえばイエローおよび／またはシアンなどの色の追加／変更、および／または使われるフィルタに適切な変更が施された色光源を他の位置に配置するなどの変形例を有していてもよい。
【００１５】
ある実施例において、フィルタは二色性の干渉フィルタを有していてもよい。別の実施例では、他の干渉フィルタなど他のタイプのフィルタが用いられてもよい。さらに、フィルタは必要に応じてノッチフィルタおよび／またはエッジフィルタであってもよい。例えば、上述の実施例ではフィルタ１１６での緑色光の組み合わせを示しているが、他の実施例では、同様の方法で任意の色の他の光路を追加してまたは変更して組み合わせてもよい。
【００１６】
本願明細書において記載される照明装置は、色光源を加えることによって一つ以上の色の強度を増加させる柔軟性を持たせることができる。特定の色の強度を増加させることは、投影システムにおいてより好適なカラーバランスを得るために望ましい。本実施例の照明装置は、例えば黄色および／またはシアンなどさらに多くの有色光源を採用することにより色の範囲を拡大してもよい。また、これらの装置は、各色に対応する別々の統合トンネルを設ける場合に比べ、投影システムのコストおよび全体サイズの低減させることができる。さらに、光源からの光は、単一の光路に沿ってトンネルに放射されてもよい。単一の光路は、下流の構成要素に対する同様の照明領域および照明角度を有する異なる色の光を照射することによって、投影システムの面積および光スループットの維持を促してもよい。
【００１７】
図に示すように、有色光源１０８、１１２、１２０および１２８の各々は、発光デバイスおよびレンズを有する。別の実施例では、例えばミラー、偏光要素など、追加的なまたは選択的な構成要素を含んでいてもよい。発光デバイスは、発光ダイオードおよび／またはレーザダイオードなどの固体光源を含んでいてもよい。但し、固体光源はこれらに限られないことは勿論である。
【００１８】
図２は、本発明の別の実施例に係る照明装置２００を示す図である。本実施例では、緑色光源２０４および２０８からの光は、上記の実施例と同様にフィルタ２１２によって結合されてもよい。緑色光源２０４および２０８は、多くのフィルタおよびレンズ２２０を介して統合デバイス２１６に光学的に接続されていてもよい。
【００１９】
赤色光源２２４は、フィルタ２２８を透過しフィルタ２３２によって統合デバイス２１６に向けて反射される赤色光を出力してもよい。
【００２０】
青色光源２３６は、フィルタ２２８およびフィルタ２３２によって統合デバイス２１６に向けて反射される青色光を出力してもよい。
【００２１】
図３は、本発明の別の実施例に係る照明装置３００を示す図である。本実施例において、クロスプリズムと言われる透明な略立方体構造の中に横断してフィルタが埋め込まれていてもよい。第１のクロスプリズム３０４は、緑色光源３０８から緑色光を反射し青色光源３１２からの青色光を透過する機能を有するフィルタ３０６を備えてもよい。また、第１のクロスプリズム３０４は、青色光源３１２からの青色光を反射し光源３０８からの緑色光を透過する機能を有するフィルタ３１０を備えてもよい。例えば統合デバイス３１６などの下流の構成要素に向けて、第１のクロスプリズムから緑色光および青色光が透過されてもよい。
【００２２】
第２のクロスプリズム３２０は、青色光源３１２および緑色光源３０８からの光を統合デバイス３１６に向けて透過する機能を有する。また、第２のクロスプリズムは、緑色光源３２４からの光を反射し赤色光源３２８からの光を透過する機能を有するフィルタ３２２を備えていてもよい。図１に関連して上述した実施例と同様に、フィルタ３２２は、少なくとも異なる波長および／または偏光に基づいて、緑色光源３２４からの光と緑色光源３０８からの光とを分けることができる。
【００２３】
また、第２のクロスプリズムは、緑色光源３２４からの光を透過し赤色光源３２８からの光を反射する機能を有するフィルタ３２６を備えてもよい。ある実施例では、統合デバイス３１６は第２のクロスプリズム３２０と隣接して配置されてもよい。別の実施例では、２つの構成要素間にレンズが配置されてもよい。
【００２４】
さまざまな実施例において、更なる光源がクロスプリズム３０４の面に配置されてもよく、および／または更にクロスプリズムが追加されてもよい。
【００２５】
図４は、本発明の別の実施例に係る照明装置４００を示す図である。本実施例では、統合デバイス４０４は、内蔵された１つ以上のフィルタを有していてもよい。緑色光源４０８は統合デバイス４０４の側部に配置され、フィルタ／ミラー４１２に緑色光を出力する機能を有していてもよい。フィルタ／ミラー４１２は、統合デバイス４０４に設けられた他の多くのフィルタを通じて緑色光を下流へと反射してもよい。第２の緑色光源４１６は、第１の緑色光源４０８に隣接して配置されてもよい。フィルタ４２０は、上記の実施例と同様に、第２の緑色光源４１６からの光を反射してもよく、第１の緑色光源４０８からの光を透過してもよい。
【００２６】
赤色光源４２４は、第２の緑色光源４１６に隣接し配置され、フィルタ４２８によって反射される赤色光を出力してもよい。フィルタ４２８は、緑色光源４０８および４１６からの緑色光を透過する機能を有していてもよい。
【００２７】
青色光源４３２は、赤色光源４２４に隣接して配置され、フィルタ４３６によって反射される青色光を出力してもよい。フィルタ４３６は、緑色光および赤色光を透過する機能を有していてもよい。
【００２８】
本実施例では、光源４０８、４１６、４２４、および４３２は、同一平面上に配置されてもよい。このように平面的な配置を採用することで、例えばピックアンドプレース機構などで共通基板上に発光装置を簡易に配置することが可能となる。また、これによって配置および／または製造コストの減少が容易となる。さらに、これにより容易に発光デバイスを冷却をすることが可能となる。装置の冷却は、ヒートシンクを基板に熱が伝達するよう連結することによって、および／または装置内にわたってエアを導入することによって行うことができる。
【００２９】
さまざまな実施例において、統合デバイス４０４の上流端部および／または図４において図示されるよう配置された光源の反対側に、追加的または選択的に光源が配置されてもよい。
【００３０】
図５は、本発明の別の実施例に係る照明装置５００を示す図である。本実施例では、赤色光源５０４、緑色光源５０８および青色光源５１２は、それぞれ交差フィルタデバイス５１６に赤色光、緑色光、および青色光を出力してもよい。交差フィルタデバイス５１６は、赤色光を反射し青色光および緑色光を統合デバイス５２４に向けて透過する機能を有するフィルタ５２０を備えていてもよい。また、交差フィルタデバイス５１６は、青色光を反射し赤色光および緑色光を統合デバイス５２０に向けて透過する機能を有するフィルタ５２８を備えていてもよい。
【００３１】
図６は、本発明の別の実施例に係る照明装置６００を示す図である。本実施例では、赤色光源６０４、緑色光源６０８、および青色光源６１２は、それぞれ交差フィルタデバイス６１６に赤色光、緑色光、および青色光を出力してもよい。交差フィルタデバイス６１６は、赤色光を反射し青色光および緑色光を統合デバイス６２４に向けて透過する機能を有するフィルタ６２０を備えていてもよい。また、交差フィルタデバイス６１６は、青色光を反射し赤色光および緑色光を統合デバイス６２０に向けて透過する機能を有するフィルタ６２８を備えていてもよい。
【００３２】
本実施例では、フィルタ６２８は、赤色光源６０４から受光する光の光路と平行または同一線上に配置される。このような配置により、赤色光の一部を、フィルタ６２０に照射させると共にフィルタ６２８を透過させることなくトンネル６２４に向けて反射させることができる。さらに、フィルタリングがうまく機能しない個所では、フィルタ６２０とフィルタ６２８とが重なる部分への赤色光の投射量を少なくしてもよい。このような赤色光源６０４および交差フィルタデバイス６１６の配置により、意図せずフィルターにかけられる赤色光の量を低減させることができる。
【００３３】
本明細書において用いられたように、フィルタ面上のラインが光路と平行または同一線上にある場合、フィルタは光路と平行または同一線上に存在するものとする。
【００３４】
フィルタ６２８と同様に、フィルタ６２０は、光源６１２から受光する光の光路と実質的に平行または同一線上に配置されてもよい。上述と同様に、このような配置により、意図せずフィルターにかけられる青色光の量を低減させることができる。
【００３５】
本実施例において、フィルタ６２０とフィルタ６２８とが交差する個所のフィルタ角度Φは約３０度にされていてもよい。光源６０４と６１２との相対的な位置と同様に、フィルタ角度Φを約３０度にした場合、フィルタ角度Φを４５度にした場合と比較すると、反射フィルタへの入射角度はより減少する。これは、Ｓ−Ｐ偏光分割の発生を低減させるため双方の偏光に対して有益であり、この結果、より高い光の反射率を得ることが可能となる。
【００３６】
例えば緑色光源６０８などから伝達する光路は、フィルタ角度Φが減少するにしたがって、２つのフィルタ６２０と６２８とが交差する個所において断面積が増加した領域に到達する。したがって、ある実施例では、例えば０．７ミリメートル（ｍｍ）、０．５ｍｍ、または０．３ｍｍなど比較的薄いフィルタを用いてこの断面積を減少させることができる。これにより、交差個所での透過光の損失を容易に低減させることができる。
【００３７】
さらに、薄いフィルタを配置することで、同一線上または平行な光路に対して直交する表面積を容易に低減させることができる。また、ある実施例では、フィルタ６２０および６２８の端部は、この表面積を減少させるために、例えば６０度など９０度以外の角度でカットされてもよい。
【００３８】
図７は、本発明の実施例に係る照明装置７００を示す図である。本実施例では、赤色光源７０４、緑色光源７０８および青色光源７１２は、それぞれ交差フィルタデバイス７１６に赤色光、緑色光および青色光を出力してもよい。交差フィルタデバイス７１６は、赤色光を反射し統合デバイス７２４に向けて青色光および緑色光を透過する機能を有するフィルタ７２０を備えていてもよい。また、交差フィルタデバイス７１６は、青色光を反射し統合デバイス７２０に向けて赤くて緑色光を透過する機能を有するフィルタ７２８を備えていてもよい。本実施例では、フィルタ７２０および７２８は、上記の実施例と同様にフィルタ角度が３０度となるよう配置されてもよい。しかしながら、本実施例における光源７０４、７０８、および７１２は、実質的に同一平面上に配置されてもよく、赤色光、緑色光、および青色光の各々を交差フィルタデバイス６１６に投影させるよう、例えば折曲ミラー７３２、７３６および７４０などの反射デバイスを有していてもよい。光源７０４、７０８および７１２のこのような平面的な構成は、図４に関連して記載され説明された実施例に類似する点を有する。また、統合デバイス７２４の入口における光源７０４、７０８および／または７１２の投影像の配置は、折曲ミラー７３２、７３６および７４０の各々を調整することによって調整されていてもよい。
【００３９】
本発明の実施例にしたがって記載され説明される他の実施例は、平面構成に配置された光源からの光を本実施例と類似する反射デバイスで結合するよう適切に変形されてもよい。
【００４０】
図８は、本発明の別の実施例に係る照明装置８００を示す図である。本実施例では、赤色光源８０４、緑色光源８０８および青色光源８１２は、それぞれ赤色光、緑色光および青色光を出力してもよい。赤色光源８０４は、フィルタ８２０に光を向けるための折曲ミラー８２４を有していてもよい。フィルタ８２０は、赤色光を反射し統合デバイス８２８に向けて青色光および緑色光を透過する機能を有していてもよい。緑色光源８０８からの光は、フィルタ８３６およびフィルタ８２０を通過してトンネル８２８に向かうよう反射デバイス８３２において反射されていてもよい。フィルタ８３６は、緑色光を透過し、反射デバイス８４０を経由して青色光源８１２から受光する青色光を反射する機能を有していてもよい。上記の実施例と同様に、光源８０４、８０８、および８１２は、互いに実質的に同一平面上に配置されていてもよい。
【００４１】
図９は、本発明の別の実施例に係る照明装置９００を示す図である。本実施例において、プリズム９０４は、赤色光源９０８、緑色光源９１２、および青色光源９１６から受光し、受光した光を統合デバイス９２０に照射するよう配置されていてもよい。プリズム９０４は、第１面にフィルタコーティング９２４を有していてもよい。フィルタコーティング９２４は、光源９１６からの緑色光を第２面に透過する機能を有していてもよい。また、プリズム９０４は、後方の統合デバイス９２０に向けて緑色光を反射する機能を有するフィルタコーティング９２８を第２面に有していてもよい。フィルタコーティング９２８は、光源９１６からの青色光を透過する機能をさらに有していてもよい。フィルタコーティング９２４は、青色光および緑色光を透過する一方、光源９０８からの赤色光を反射する機能をさらに有していてもよい。
【００４２】
フィルタコーティングをプリズムの表層に配置することにより、フィルタを容易に配置することが可能となる。
【００４３】
説明を容易にするため、光路を相互に分離して示す。但し、本発明の実施例は、同一直線上の光路を有していてもよい。
【００４４】
本実施例では、フィルタコーティング９２４およびフィルタコーティング９２８がこのように選択的に反射および／または透過することにより、統合デバイス９２０へ繋がる実質的な共通光路への有色光路を容易に減少させることができる。
【００４５】
図１０は、本発明の別の実施例に係る照明装置１０００を示す図である。本実施例では、プリズム１００４は、赤色光源１００８、緑色光源１０１２、および青色光源１０１６から受光し、受光した光をトンネル１０２０に向けるよう配置されていてもよい。本実施例によれば、例えば、ヒートシンクを別々に設けるために相互に離間して配置される光源を、容易に設けることができる。
【００４６】
プリズム１００４は、光源１００８からの赤色光を反射し、緑色光源１０１２および青色光源１０１６の各々からの緑色光および青色光を透過する機能を有するフィルタコーティング１０２４を第１面上に有していてもよい。また、プリズム１００４は、光源１０１２からの緑色光を透過し、光源１０１６からの青色光を反射する機能を有するフィルタコーティング１０２８を第２面上に有していてもよい。本実施例では、光源１０１６からの青色光は、第２面でフィルタコーティング１０２８によって反射される前に第１面で内部的に反射されてもよい。
【００４７】
上記の実施例と同様に、説明を容易にするため、光路を互いに分離して示す。但し、本発明の実施例は、同一直線上の光路を有していてもよい。
【００４８】
本実施例において、図９に関連して上述した実施例と同様に、フィルタコーティング１０２４およびフィルタコーティング１０２８がこのように選択的に反射および／または透過することにより、統合デバイス９２０へ繋がる実質的な共通光路への有色光路を容易に少なくすることができる。
【００４９】
図１１は、本発明の実施例に係る投影システム１１００を示す図である。本実施例では、投影システム１１００は、データソース１１０８に接続される、例えばプロジェクタまたはプロジェクションテレビなどの投影装置１１０４を有していてもよい。さまざまな実施例において、データソース１１０８は、パーソナルコンピュータまたはラップトップコンピュータであってもよく、また、統合化されたテレビ・チューナ、デジタル多用途ディスク（ＤＶＤ）、セットトップボックス（ＳＴＢ）またはビデオ・カメラであってもよい。なお、データソース１１０８がこれらに限られないことは勿論である。
【００５０】
投影装置１１０４は、すでに記載および説明した照明装置のいずれかと同様の照明装置を有していてもよい。照明装置１１１２が発する光は、例えばライトモジュレータ１１１６などの撮像装置を照らすための光路に沿って伝播してもよい。ライトモジュレータ１１１２は、デジタルマイクロミラーデバイス（ＤＭＤ）、半導体上の反射する液晶（ＬＣＯＳ）装置、そして液晶装置（ＬＣＤ）を有していてもよい。なお、ライトモジュレータ１１１２が含むものはこれに限定されないことは勿論である。
【００５１】
ライトモジュレータ１１１６は、コントローラ１１２０からライトモジュレータ１１１６に出力される制御信号に基づいて調光してもよい。コントローラ１１２０は、データソース１１０８からカラー画像を表すカラー画像データを受信してもよく、画像データを、例えば赤色光データ、緑色光データ、および青色光データなどの構成色データに処理してもよい。その後、構成色データは、例えば赤色光源、緑色光源、および青色光源など、照明装置１１１２における対応する構成色光源の照射時間を制御すべく電源１１２４に送られる信号に適切に同期して、ライトモジュレータ１１１６に伝送されてもよい。さまざまな実施例において、コントローラは、汎用プロセッサ／コントローラ、特定用途向け集積回路（ＡＳＩＣ）、またはプログラマブルロジックデバイス（ＰＬＤ）を有していてもよい。
【００５２】
説明の目的において、静止画像は、フレームを１つだけ有する劣化したまたは特殊なビデオとみなしてもよい。したがって、静止画像およびビデオの用語が以下の記載において用いられるが、これらは本発明の実施例をどちらか一方に限定して解釈するものではない。
【００５３】
ライトモジュレータ１１１６による画像は、投影レンズ１１２８によって観賞用に投影されていてもよい。さまざまな光学部品は、所定の実施例に関連する特定の設計要素のため調整することができるよう、光路内に配置されてもよい。
【００５４】
ある実施例では、光学部品は、プロジェクタハウジング（図示せず）内の光学フレームに共に保持されていてもよい。ハウジングは機械的に堅固であってもよく、容易に放熱するよう設計されていてもよい。フレームおよびハウジングは、エアフローを生成することによって光学部品を冷却する冷却ファンを収容できるよう形成されていてもよい。また、冷却ファンおよびコントローラを作動させるために電源が用いられてもよい。
【００５５】
本明細書では、好ましい実施例を記載する目的で特定の実施例が図示および説明されている。しかし、同様の目的を達成すべく適用された多様な変形例および／または均等な実施例が、図示され説明された特定の実施例に本発明の権利範囲から逸脱することなく採用されてもよいことは、当業者が認めるところである。本発明は多様な実施例で実施してもよいことは、これら当業者が直ちに認めるところである。本出願は、本明細書において記載される実施例の改良やバリエーションを含むことを意図する。したがって、本発明が本明細書の請求項およびその均等物によってのみ画定されることを明確に意図する。
【図面の簡単な説明】
【００５６】
【図１】本発明の実施例に係る照明装置を示す図である。
【図２】本発明の別の実施例に係る照明装置を示す図である。
【図３】本発明の別の実施例に係る照明装置を示す図である。
【図４】本発明の別の実施例に係る照明装置を示す図である。
【図５】本発明の別の実施例に係る照明装置を示す図である。
【図６】本発明の別の実施例に係る照明装置を示す図である。
【図７】本発明の別の実施例に係る照明装置を示す図である。
【図８】本発明の別の実施例に係る照明装置を示す図である。
【図９】本発明の別の実施例に係る照明装置を示す図である。
【図１０】本発明の別の実施例に係る照明装置を示す図である。
【図１１】本発明の実施例に係る投影システムを示す図である。
【符号の説明】
【００５７】
１００  照明装置、  １０４  統合デバイス、  １０８  緑色光源、  １１０  レンズ、  １１２  緑色光源、  １１６  フィルタ、  １２０  青色光源、  １２４  フィルタ、  １２８  赤色光源、  １３２  フィルタ。
【図１】
2008542842.tif 000003
【図２】
2008542842.tif 000004
【図３】
2008542842.tif 000005
【図４】
2008542842.tif 000006
【図５】
2008542842.tif 000007
【図６】
2008542842.tif 000008
【図７】
2008542842.tif 000009
【図８】
2008542842.tif 000010
【図９】
2008542842.tif 000011
【図１０】
2008542842.tif 000012
【図１１】
2008542842.tif 000013
【手続補正書】
【提出日】平成20年2月5日(2008.2.5)
【手続補正１】
【補正対象書類名】特許請求の範囲
【補正対象項目名】全文
【補正方法】変更
【補正の内容】
【特許請求の範囲】
【請求項１】
第１の色に対応する第１の波長範囲の光を出力する第１の光源と、
第１の波長範囲の光を出力する第２の光源と、
第１の光源によって出力される光の第１の光路と第２の光源によって出力される光の第２の光路との交差個所に実質的に配置され、前記第１の光源によって出力された光を透過し前記第２の光源によって出力された光を第１の光路に沿うよう反射して前記第１の光源および前記第２の光源によって出力された光を重ね合わせるフィルタと、
前記第１の光源および前記第２の光源に接続され、前記第１の光源および前記第２の光源によって出力された光が前記フィルタによって重ね合わされるよう前記第１の光源および前記第２の光源によって出力される光の放射を制御するコントローラと、を備えることを特徴とする照明装置。
【請求項２】
前記フィルタは、二色性フィルタを有することを特徴とする請求項１に記載の照明装置。
【請求項３】
前記二色性フィルタは、エッジフィルタであることを特徴とする請求項２に記載の照明装置。
【請求項４】
前記エッジフィルタは、約５３０ナノメートルより長い波長を有する光を透過し、約５３０ナノメートルより短い波長を有する光を反射することを特徴とする請求項３に記載の照明装置。
【請求項５】
前記フィルタは、偏光フィルタを有することを特徴とする請求項１に記載の照明装置。
【請求項６】
第２の色に対応する第２の波長範囲の光を出力する第３の光源と、
前記フィルタを第１のフィルタとし、前記交差個所を第１の交差個所とした場合、第１の光路と前記第３の光源によって出力される光の第３の光路との第２の交差個所に実質的に配置され、前記第３の光源から受光した第２の波長範囲の光を反射し、前記第１の光源および前記第２の光源から受光した第１の波長範囲の光を透過する第２のフィルタと、
をさらに備えることを特徴とする請求項１に記載の照明装置。
【請求項７】
第３の色に対応する第３の波長範囲の光を出力する第４の光源と、
第１の光路と前記第４の光源によって出力される光の第４の光路との第３の交差個所に実質的に配置され、前記第４の光源から受光した第３の波長範囲の光を反射し、前記第３の光源から受光した第２の波長範囲の光を透過する第３のフィルタと、
をさらに備えることを特徴とする請求項６に記載の照明装置。
【請求項８】
第１、第２、および第３の色は、それぞれ緑色、青色、および赤色であることを特徴とする請求項７に記載の照明装置。
【請求項９】
前記フィルタは、クロスプリズム内に配置されることを特徴とする請求項１に記載の照明装置。
【請求項１０】
前記フィルタは、統合デバイスの内部に配置されることを特徴とする請求項１に記載の照明装置。
【請求項１１】
第１の光に対応する第１の波長範囲の光を、第１の光路およびある交差個所において第１の光路を横切る第２の光路に沿って、実質的に当該交差個所に配置されるフィルタで受光するステップと、
第１の光路に沿って受光した第１の波長範囲の光が前記フィルタを透過するステップと、
第２の光路に沿って受光した第１の波長範囲の光が前記フィルタから反射するステップと、を備え、
前記透過するステップおよび前記反射するステップは、前記第１の光源および前記第２の光源から受光した光を前記フィルタで重ね合わせるステップを含むことを特徴とする照明方法。
【請求項１２】
第１の光源による第１の光路に沿って第１の波長範囲の光を出力するステップと、
第２の光源による第２の光路に沿って第１の波長範囲の光を出力するステップと、
をさらに備えることを特徴とする請求項１１に記載の照明方法。
【請求項１３】
前記フィルタを第１のフィルタとし、前記交差個所を第１の交差個所とした場合、第２の交差個所において第１の光路を横切る第３の光路に沿って、第３の光源による第２の色に対応する第２の波長範囲の光を出力するステップと、
実質的に第２の交差個所に配置された第２のフィルタから、前記第３の光源から受光した第２の波長範囲の光が反射するステップと、
第１の光源および第２の光源から受光した第１の波長範囲の光が前記第２のフィルタを透過するステップと、
をさらに備えることを特徴とする請求項１１に記載の照明方法。
【請求項１４】
第４の光源による第３の色に対応する第３の波長範囲の光を、第３の交差個所で第１の光路を横切る第４の光路に沿って出力するステップと、
実質的に第３の交差個所に配置された第３のフィルタから、第４の光源から受光した第３の波長範囲の光が反射するステップと、
第１の光源および第２の光源から受光した第１の波長範囲の光と、第３の光源から受光した第２の波長範囲の光とが、前記第３のフィルタを透過するステップと、
をさらに備えることを特徴とすることを特徴とする請求項１３に記載の照明方法。
【請求項１５】
第１の色に対応する第１の波長範囲の光を出力する第１の光源と、
第１の波長範囲の光を出力する第２の光源と、
第１の光源によって出力される光の第１の光路と第２の光源によって出力される光の第２の光路との交差個所に実質的に配置され、前記第１の光源によって出力された光を透過し、前記第２の光源によって出力された光を第１の光路に沿うよう反射して前記第１の光源および前記第２の光源によって出力された光を重ね合わせるフィルタと、を有する照明装置と、
前記第１の光源および前記第２の光源に接続され、前記第１の光源および前記第２の光源によって出力された光が前記フィルタによって重ね合わされるよう前記第１の光源および前記第２の光源によって出力される光の放射を制御するコントローラと、
前記照明装置から受光し、受光した光を映像に調光する複数の投影コンポーネントと、
を備えることを特徴とする照明システム。
【請求項１６】
前記複数の投影コンポーネントは、
前記照明装置から受光し、受光した光を統合する統合デバイスと、
統合された光を受光し、受光した統合光を所定の画像に調光するライトモジュレータと、
を有することを特徴とする請求項１５に記載の照明システム。
【請求項１７】
前記複数の投影コンポーネントは、ライトモジュレータにより調光された画像を投影する投影レンズをさらに有することを特徴とする請求項１５に記載の照明システム。
【請求項１８】
第１の光路に沿って第１の色の光を出力する第１の光源と、
第２の光路に沿って第２の色の光を出力する第２の光源と、
実質的に第１の光路と平行または同一線上に配置され、第１の色の光を透過し、第２の色の光を反射する第１のフィルタと、第２の光路に実質的に平行または同一線上に配置され、第２の色の光を透過し、第１の色の光を反射する第２のフィルタと、を有する交差フィルタデバイスと、
を備えることを特徴とする照明装置。
【請求項１９】
前記第１のフィルタおよび前記第２のフィルタは、第３の色の光をさらに透過し、
前記第１のフィルタおよび前記第２のフィルタを横切る第３の光路に沿って、第３の色の光を出力する第３の光源をさらに備えることを特徴とする請求項１８に記載の照明装置。
【請求項２０】
前記交差フィルタデバイスから受光し、受光した光を映像に調光する複数の投影コンポーネントをさらに備えることを特徴とする請求項１８に記載の照明装置。
【請求項２１】
前記投影コンポーネントは、前記交差フィルタデバイスから受光し、受光した光を統合する統合デバイスを有することを特徴とする請求項２０に記載の照明装置。
【請求項２２】
前記投影コンポーネントは、統合された光を受光し、受光した光を所定の画像に調光するライトモジュレータをさらに有することを特徴とする請求項２１に記載の照明装置。
【請求項２３】
前記第１のフィルタおよび前記第２のフィルタは、それぞれ第１の二色性フィルタおよび第２の二色性フィルタを有することを特徴とする請求項１８に記載の照明装置。
【請求項２４】
前記第１のフィルタおよび前記第２のフィルタは、それぞれ第１の偏光フィルタおよび第２の偏光フィルタを有することを特徴とする請求項１８に記載の照明装置。
【請求項２５】
第１の色、第２の色、および第３の色は、それぞれ青色、緑色、および赤色から成ることを特徴とする請求項１８に記載の照明装置。
【請求項２６】
交差フィルタデバイスの第１のフィルタと実質的に平行または同一直線上にある第１の光路に沿って交差フィルタデバイスに第１の色の光を出力するステップと、
交差フィルタデバイスの第２のフィルタと実質的に平行または同一直線上の第２の光路に沿って第２の色の光を交差フィルタデバイスに出力するステップと、
を備えることを特徴とする照明方法。
【請求項２７】
前記第１のフィルタおよび前記第２のフィルタを横切る第３の光路に沿って前記交差フィルタデバイスに第３の色の光を出力するステップをさらに備えることを特徴とする請求項２６に記載の照明方法。
【請求項２８】
第１のフィルタで第２の色の光を反射するステップと、
第１のフィルタを第１の色の光および第３の色の光が透過するステップと、
第２のフィルタで第１の色の光を反射するステップと、
第２のフィルタを第２の色の光および第３の色の光が透過するステップと、
を備えることを特徴とする請求項２７に記載の照明方法。
【請求項２９】
第１の色の光を出力する第１の光源と、
第２の色の光を出力する第２の光源と、
第３の色の光を出力する第３の光源と、
第１面上に設けられた第１のフィルタコーティングおよび第２面上に設けられた第２のフィルタコーティングを有するプリズムと、を備え、
第１のフィルタおよび第２のフィルタは、選択的に光を透過および／または反射し、
前記プリズムは、前記第１のフィルタコーティングおよび前記第２のフィルタコーティングの少なくとも一部における選択的な透過および／または反射に基づいて、前記第１の光源、前記第２の光源、および前記第３の光源からそれぞれ第１の色の光、第２の色の光、および第３の色の光を受光し、受光した光を実質的に共通光路に沿って出力することを特徴とする照明装置。
【請求項３０】
前記第１の光源は、第１面において前記プリズムと交差する第１の光路に沿って第１の色の光を出力する機能を有し、前記第２の光源は、第２面において前記プリズムと交差する第２の光路に沿って第２の色の光を出力することを特徴とする請求項２９に記載の照明装置。
【手続補正２】
【補正対象書類名】明細書
【補正対象項目名】全文
【補正方法】変更
【補正の内容】
【発明の詳細な説明】
【技術分野】
【０００１】
本発明に係る実施例は、投影システムの技術分野に関し、特にこのような投影システムにおける光源からの光路の組み合わせに関する。
【背景技術】
【０００２】
本出願は、２００５年５月３１日に出願された「ILLUMINATION ARRANGEMENTS FOR COLORED LIGHT EMITTING DEVICES」という名称の仮出願である第６０／６８６,３４４号、および２００６年５月３１日に出願された「ILLUMINATION ARRANGEMENTS FOR COLORED LIGHT SOURCES」という名称の通常の出願である第１１／４２１,４１７号に基づく優先権主張出願である。この仮出願および通常の出願は、本明細書においてそのすべての記載が組み込まれている。ただし、仮に本明細書に含まれていない部分がある場合は、その記載を除く。
【０００３】
マルチメディアの投影システムは、販売デモンストレーション、業務会議、教室でのトレーニングなどを目的として、また、ホームシアタの用途として普及している。一般に、マルチメディアの投影システムは、一つ以上のデジタル駆動ライトバルブを制御するため、データ源から映像信号を受信し、受信した映像信号をデジタル情報に変換する。このデジタル情報に基づいて、ビデオ画像を表す画像関連光に入射光を変換することができる。従来の投影システムでは、多色光を発する高エネルギーの放電ランプが頻繁に用いられてきた。このような従来の投影システムはランプ寿命が短く、初期の使用期間の経過後に明るさが低減するという短所を有していた。また、原色の光を選択的に操作するために、分割多色光に向けられた相当数の光源がある。
【発明の開示】
【発明が解決しようとする課題】
【０００４】
近年では、多色光の欠点の影響を受けにくい固体光源のモノクロ光を利用・採用した投影システムの開発・製造に目が向けられるようになった。投影システムにおいて多数のモノクロ光を利用する場合、投影システムの信頼性、性能、梱包サイズ、およびコストが課題として認識される一方、光源からの光の重ね合わせ処理が課題となる。
【課題を解決するための手段】
【０００５】
上記課題を解決するために、本発明のある態様の照明装置は、第１の色に対応する第１の波長範囲の光を出力する第１の光源と、第１の波長範囲の光を出力する第２の光源と、第１の光源によって出力される光の第１の光路と第２の光源によって出力される光の第２の光路との交差個所に実質的に配置され、第１の光源によって出力された光を透過し第２の光源によって出力された光を第１の光路に沿うよう反射して第１の光源および第２の光源によって出力された光を重ね合わせるフィルタと、第１の光源および第２の光源に接続され、第１の光源および第２の光源によって出力された光がフィルタによって重ね合わされるよう第１の光源および第２の光源によって出力される光の放射を制御するコントローラと、を備える。
【０００６】
本発明の別の態様は、照明方法である。この方法は、第１の光に対応する第１の波長範囲の光を、第１の光路およびある交差個所において第１の光路を横切る第２の光路に沿って、実質的に当該交差個所に配置されるフィルタで受光するステップと、第１の光路に沿って受光した第１の波長範囲の光がフィルタを透過するステップと、第２の光路に沿って受光した第１の波長範囲の光がフィルタから反射するステップと、を備える。透過するステップおよび反射するステップは、第１の光源および第２の光源から受光した光をフィルタで重ね合わせるステップを含む。
【０００７】
本発明のさらに別の態様は、照明システムである。この照明システムは、第１の色に対応する第１の波長範囲の光を出力する第１の光源と、第１の波長範囲の光を出力する第２の光源と、第１の光源によって出力される光の第１の光路と第２の光源によって出力される光の第２の光路との交差個所に実質的に配置され、第１の光源によって出力された光を透過し、第２の光源によって出力された光を第１の光路に沿うよう反射して第１の光源および第２の光源によって出力された光を重ね合わせるフィルタと、を有する照明装置と、第１の光源および第２の光源に接続され、第１の光源および第２の光源によって出力された光がフィルタによって重ね合わされるよう第１の光源および第２の光源によって出力される光の放射を制御するコントローラと、照明装置から受光し、受光した光を映像に調光する複数の投影コンポーネントと、を備える。
【０００８】
本発明のさらに別の態様は、照明装置である。この装置は、第１の光路に沿って第１の色の光を出力する第１の光源と、第２の光路に沿って第２の色の光を出力する第２の光源と、実質的に第１の光路と平行または同一線上に配置され、第１の色の光を透過し、第２の色の光を反射する第１のフィルタと、第２の光路に実質的に平行または同一線上に配置され、第２の色の光を透過し、第１の色の光を反射する第２のフィルタと、を有する交差フィルタデバイスと、を備える。
【０００９】
本発明のさらに別の態様は、照明方法である。この方法は、交差フィルタデバイスの第１のフィルタと実質的に平行または同一直線上にある第１の光路に沿って交差フィルタデバイスに第１の色の光を出力するステップと、交差フィルタデバイスの第２のフィルタと実質的に平行または同一直線上の第２の光路に沿って第２の色の光を交差フィルタデバイスに出力するステップと、を備える。
【００１０】
本発明のさらに別の態様は、照明装置である。この装置は、第１の色の光を出力する第１の光源と、第２の色の光を出力する第２の光源と、第３の色の光を出力する第３の光源と、第１面上に設けられた第１のフィルタコーティングおよび第２面上に設けられた第２のフィルタコーティングを有するプリズムと、を備える。第１のフィルタおよび第２のフィルタは、選択的に光を透過および／または反射し、プリズムは、第１のフィルタコーティングおよび第２のフィルタコーティングの少なくとも一部における選択的な透過および／または反射に基づいて、第１の光源、第２の光源、および第３の光源からそれぞれ第１の色の光、第２の色の光、および第３の色の光を受光し、受光した光を実質的に共通光路に沿って出力する。
【発明を実施するための最良の形態】
【００１１】
以下の詳細な説明では、本願の一部を成す図面に関連して説明する。図面では、全体にわたって数字が部品などを示し、本発明が実施され得る特定の実施例が図によって示される。他の実施例を実施することができ、また、本発明に係る実施例の範囲から逸脱することなく構造上または論理的に変形可能であることは理解されるところである。例えば上面図、下面図、裏面図、および正面図が図面の説明において用いられる。これら各視点図は説明を容易にするために用いられ、本発明の実施例の適用を制限することを意図していない。したがって、以下の詳細な説明は、添付した特許請求の範囲およびその均等物によって画定される本発明の実施例の意義および範囲を制限するものではない。
【００１２】
本発明の目的とするところによれば、「Ａ／Ｂ」の語句は「ＡまたはＢ」を意味する。また、「Ａおよび／またはＢ」の語句は「（Ａ）、（Ｂ）、または（ＡおよびＢ）」を意味する。「Ａ、Ｂ、および／またはＣ」の語句は、「（Ａ）、（Ｂ）、（Ｃ）、（ＡおよびＢ）（ＡおよびＣ）、（ＢおよびＣ）、または（Ａ、Ｂ、およびＣ）」を意味する。「（Ａ）Ｂ」の語句は、「（Ｂ）または（ＡＢ）」を意味する。すなわち、Ａは任意の要素であることを意味する。
【００１３】
図１は、本発明の実施例に係る投影システムの照明装置１００を示す図である。照明装置１００は、多くの色光源から例えば光トンネルやフライ接眼レンズなどの統合デバイス１０４に光を結合させてもよい。本実施例において緑色光源１０８は、緑色光に対応する波長範囲の光を、統合デバイス１０４と実質的に同じ光軸に沿った光路で統合デバイス１０４に出力してもよい。光源１０８は、多くのフィルタおよびレンズ１１０を通じて統合デバイス１０４に光学的に接続されていてもよい。
【００１４】
ある実施例では、他の緑色光源１１２は、例えば５００−５６０ナノメートル（ｎｍ）といった緑色の波長範囲の光を出力してもよい。フィルタ１１６は、光源１０８からの光を透過し、光源１１２からの光を統合デバイス１０４に向けて反射する機能を有していてもよい。
【００１５】
ある実施例では、２つの緑色光源１０８および１１２は、僅かに異なる波長の緑色光を放射してもよい。本実施例では、フィルタ１１６は緑色光源１０８からの光の通過に適する一方、緑色光源１１２からの光を反射する機能を有する二色性フィルタであってもよい。例えば、緑色光源１０８は平均波長がおよそ５４０ナノメートル（ｎｍ）の光を出力してもよく、緑色光源１１２は平均波長がおよそ５２０ナノメートルの光を出力してもよい。フィルタ１１６は、５３０ナノメートル以下の波長を有する光を反射する一方、５３０ナノメートルより長い波長の光を透過する機能を有する二色性エッジフィルタであってもよい。
【００１６】
別の実施例では、フィルタ１１６はある偏光を反射すると共に、ある直交偏光を透過する機能を有する偏光フィルタであってもよい。例えば、光源１０８は、垂直偏光を放射してもよく、光源１１２は水平偏光を放射できてもよい。本実施例では、フィルタ１１６は、例えば光源１１２からの光などの水平偏光を透過してもよく、例えば光源１０８からの光などの垂直偏光を反射してもよい。
【００１７】
さまざまな実施例において、光源１０８および／または１１２は、適切な偏光を放射する機能を有する様々な偏光構成要素を有していてもよい。さらに、さまざまな実施例において、更なるまたは他の偏光手段が用いられてもよい。
【００１８】
青色光源１２０は、例えば４４０−４８５ｎｍなど青色の波長範囲の光を出力してもよい。フィルタ１２４は、青色光源１２０からの光を反射してもよく、緑色光源１０８および１１２からの光を透過してもよい。
【００１９】
赤色光源１２８は、例えば６２５−７４０ｎｍなど赤色の波長範囲の光を出力してもよい。フィルタ１３２は、赤色光源１２８からの光を統合デバイス１０４に向けて反射してもよく、緑色光源１０８と１１２、および青色光源１２０からの光を透過してもよい。
【００２０】
さまざまな実施例において、本願明細書において記載されている照明装置は、光源の追加／削除、たとえばイエローおよび／またはシアンなどの色の追加／変更、および／または使われるフィルタに適切な変更が施された色光源を他の位置に配置するなどの変形例を有していてもよい。
【００２１】
ある実施例において、フィルタは二色性の干渉フィルタを有していてもよい。別の実施例では、他の干渉フィルタなど他のタイプのフィルタが用いられてもよい。さらに、フィルタは必要に応じてノッチフィルタおよび／またはエッジフィルタであってもよい。例えば、上述の実施例ではフィルタ１１６での緑色光の組み合わせを示しているが、他の実施例では、同様の方法で任意の色の他の光路を追加してまたは変更して組み合わせてもよい。
【００２２】
本願明細書において記載される照明装置は、色光源を加えることによって一つ以上の色の強度を増加させる柔軟性を持たせることができる。特定の色の強度を増加させることは、投影システムにおいてより好適なカラーバランスを得るために望ましい。本実施例の照明装置は、例えば黄色および／またはシアンなどさらに多くの有色光源を採用することにより色の範囲を拡大してもよい。また、これらの装置は、各色に対応する別々の統合トンネルを設ける場合に比べ、投影システムのコストおよび全体サイズを低減させることができる。さらに、光源からの光は、単一の光路に沿ってトンネルに放射されてもよい。単一の光路は、下流の構成要素に対する同様の照明領域および照明角度を有する異なる色の光を照射することによって、投影システムの面積および光スループットの維持を促してもよい。
【００２３】
図に示すように、有色光源１０８、１１２、１２０および１２８の各々は、発光デバイスおよびレンズを有する。別の実施例では、例えばミラー、偏光要素など、追加的なまたは選択的な構成要素を含んでいてもよい。発光デバイスは、発光ダイオードおよび／またはレーザダイオードなどの固体光源を含んでいてもよい。但し、固体光源はこれらに限られないことは勿論である。
【００２４】
図２は、本発明の別の実施例に係る照明装置２００を示す図である。本実施例では、緑色光源２０４および２０８からの光は、上記の実施例と同様にフィルタ２１２によって結合されてもよい。緑色光源２０４および２０８は、多くのフィルタおよびレンズ２２０を介して統合デバイス２１６に光学的に接続されていてもよい。
【００２５】
赤色光源２２４は、フィルタ２２８を透過しフィルタ２３２によって統合デバイス２１６に向けて反射される赤色光を出力してもよい。
【００２６】
青色光源２３６は、フィルタ２２８およびフィルタ２３２によって統合デバイス２１６に向けて反射される青色光を出力してもよい。
【００２７】
図３は、本発明の別の実施例に係る照明装置３００を示す図である。本実施例において、クロスプリズムと言われる透明な略立方体構造の中に横断してフィルタが埋め込まれていてもよい。第１のクロスプリズム３０４は、緑色光源３０８から緑色光を反射し青色光源３１２からの青色光を透過する機能を有するフィルタ３０６を備えてもよい。また、第１のクロスプリズム３０４は、青色光源３１２からの青色光を反射し光源３０８からの緑色光を透過する機能を有するフィルタ３１０を備えてもよい。例えば統合デバイス３１６などの下流の構成要素に向けて、第１のクロスプリズムから緑色光および青色光が透過されてもよい。
【００２８】
第２のクロスプリズム３２０は、青色光源３１２および緑色光源３０８からの光を統合デバイス３１６に向けて透過する機能を有する。また、第２のクロスプリズムは、緑色光源３２４からの光を反射し赤色光源３２８からの光を透過する機能を有するフィルタ３２２を備えていてもよい。図１に関連して上述した実施例と同様に、フィルタ３２２は、少なくとも異なる波長および／または偏光に基づいて、緑色光源３２４からの光と緑色光源３０８からの光とを分けることができる。
【００２９】
また、第２のクロスプリズムは、緑色光源３２４からの光を透過し赤色光源３２８からの光を反射する機能を有するフィルタ３２６を備えてもよい。ある実施例では、統合デバイス３１６は第２のクロスプリズム３２０と隣接して配置されてもよい。別の実施例では、２つの構成要素間にレンズが配置されてもよい。
【００３０】
さまざまな実施例において、更なる光源がクロスプリズム３０４の面に配置されてもよく、および／または更にクロスプリズムが追加されてもよい。
【００３１】
図４は、本発明の別の実施例に係る照明装置４００を示す図である。本実施例では、統合デバイス４０４は、内蔵された１つ以上のフィルタを有していてもよい。緑色光源４０８は統合デバイス４０４の側部に配置され、フィルタ／ミラー４１２に緑色光を出力する機能を有していてもよい。フィルタ／ミラー４１２は、統合デバイス４０４に設けられた他の多くのフィルタを通じて緑色光を下流へと反射してもよい。第２の緑色光源４１６は、第１の緑色光源４０８に隣接して配置されてもよい。フィルタ４２０は、上記の実施例と同様に、第２の緑色光源４１６からの光を反射してもよく、第１の緑色光源４０８からの光を透過してもよい。
【００３２】
赤色光源４２４は、第２の緑色光源４１６に隣接し配置され、フィルタ４２８によって反射される赤色光を出力してもよい。フィルタ４２８は、緑色光源４０８および４１６からの緑色光を透過する機能を有していてもよい。
【００３３】
青色光源４３２は、赤色光源４２４に隣接して配置され、フィルタ４３６によって反射される青色光を出力してもよい。フィルタ４３６は、緑色光および赤色光を透過する機能を有していてもよい。
【００３４】
本実施例では、光源４０８、４１６、４２４、および４３２は、同一平面上に配置されてもよい。このように平面的な配置を採用することで、例えばピックアンドプレース機構などで共通基板上に発光装置を簡易に配置することが可能となる。また、これによって配置および／または製造コストの減少が容易となる。さらに、これにより容易に発光デバイスを冷却をすることが可能となる。装置の冷却は、ヒートシンクを基板に熱が伝達するよう連結することによって、および／または装置内にわたってエアを導入することによって行うことができる。
【００３５】
さまざまな実施例において、統合デバイス４０４の上流端部および／または図４において図示されるよう配置された光源の反対側に、追加的または選択的に光源が配置されてもよい。
【００３６】
図５は、本発明の別の実施例に係る照明装置５００を示す図である。本実施例では、赤色光源５０４、緑色光源５０８および青色光源５１２は、それぞれ交差フィルタデバイス５１６に赤色光、緑色光、および青色光を出力してもよい。交差フィルタデバイス５１６は、赤色光を反射し青色光および緑色光を統合デバイス５２４に向けて透過する機能を有するフィルタ５２０を備えていてもよい。また、交差フィルタデバイス５１６は、青色光を反射し赤色光および緑色光を統合デバイス５２０に向けて透過する機能を有するフィルタ５２８を備えていてもよい。
【００３７】
図６は、本発明の別の実施例に係る照明装置６００を示す図である。本実施例では、赤色光源６０４、緑色光源６０８、および青色光源６１２は、それぞれ交差フィルタデバイス６１６に赤色光、緑色光、および青色光を出力してもよい。交差フィルタデバイス６１６は、赤色光を反射し青色光および緑色光を統合デバイス６２４に向けて透過する機能を有するフィルタ６２０を備えていてもよい。また、交差フィルタデバイス６１６は、青色光を反射し赤色光および緑色光を統合デバイス６２０に向けて透過する機能を有するフィルタ６２８を備えていてもよい。
【００３８】
本実施例では、フィルタ６２８は、赤色光源６０４から受光する光の光路と平行または同一線上に配置される。このような配置により、赤色光の一部を、フィルタ６２０に照射させると共にフィルタ６２８を透過させることなくトンネル６２４に向けて反射させることができる。さらに、フィルタリングがうまく機能しない個所では、フィルタ６２０とフィルタ６２８とが重なる部分への赤色光の投射量を少なくしてもよい。このような赤色光源６０４および交差フィルタデバイス６１６の配置により、意図せずフィルターにかけられる赤色光の量を低減させることができる。
【００３９】
本明細書において用いられたように、フィルタ面上のラインが光路と平行または同一線上にある場合、フィルタは光路と平行または同一線上に存在するものとする。
【００４０】
フィルタ６２８と同様に、フィルタ６２０は、光源６１２から受光する光の光路と実質的に平行または同一線上に配置されてもよい。上述と同様に、このような配置により、意図せずフィルターにかけられる青色光の量を低減させることができる。
【００４１】
本実施例において、フィルタ６２０とフィルタ６２８とが交差する個所のフィルタ角度Φは約３０度にされていてもよい。光源６０４と６１２との相対的な位置と同様に、フィルタ角度Φを約３０度にした場合、フィルタ角度Φを４５度にした場合と比較すると、反射フィルタへの入射角度はより減少する。これは、Ｓ−Ｐ偏光分割の発生を低減させるため双方の偏光に対して有益であり、この結果、より高い光の反射率を得ることが可能となる。
【００４２】
例えば緑色光源６０８などから伝達する光路は、フィルタ角度Φが減少するにしたがって、２つのフィルタ６２０と６２８とが交差する個所において断面積が増加した領域に到達する。したがって、ある実施例では、例えば０．７ミリメートル（ｍｍ）、０．５ｍｍ、または０．３ｍｍなど比較的薄いフィルタを用いてこの断面積を減少させることができる。これにより、交差個所での透過光の損失を容易に低減させることができる。
【００４３】
さらに、薄いフィルタを配置することで、同一線上または平行な光路に対して直交する表面積を容易に低減させることができる。また、ある実施例では、フィルタ６２０および６２８の端部は、この表面積を減少させるために、例えば６０度など９０度以外の角度でカットされてもよい。
【００４４】
図７は、本発明の実施例に係る照明装置７００を示す図である。本実施例では、赤色光源７０４、緑色光源７０８および青色光源７１２は、それぞれ交差フィルタデバイス７１６に赤色光、緑色光および青色光を出力してもよい。交差フィルタデバイス７１６は、赤色光を反射し統合デバイス７２４に向けて青色光および緑色光を透過する機能を有するフィルタ７２０を備えていてもよい。また、交差フィルタデバイス７１６は、青色光を反射し統合デバイス７２０に向けて赤くて緑色光を透過する機能を有するフィルタ７２８を備えていてもよい。本実施例では、フィルタ７２０および７２８は、上記の実施例と同様にフィルタ角度が３０度となるよう配置されてもよい。しかしながら、本実施例における光源７０４、７０８、および７１２は、実質的に同一平面上に配置されてもよく、赤色光、緑色光、および青色光の各々を交差フィルタデバイス６１６に投影させるよう、例えば折曲ミラー７３２、７３６および７４０などの反射デバイスを有していてもよい。光源７０４、７０８および７１２のこのような平面的な構成は、図４に関連して記載され説明された実施例に類似する点を有する。また、統合デバイス７２４の入口における光源７０４、７０８および／または７１２の投影像の配置は、折曲ミラー７３２、７３６および７４０の各々を調整することによって調整されていてもよい。
【００４５】
本発明の実施例にしたがって記載され説明される他の実施例は、平面構成に配置された光源からの光を本実施例と類似する反射デバイスで結合するよう適切に変形されてもよい。
【００４６】
図８は、本発明の別の実施例に係る照明装置８００を示す図である。本実施例では、赤色光源８０４、緑色光源８０８および青色光源８１２は、それぞれ赤色光、緑色光および青色光を出力してもよい。赤色光源８０４は、フィルタ８２０に光を向けるための折曲ミラー８２４を有していてもよい。フィルタ８２０は、赤色光を反射し統合デバイス８２８に向けて青色光および緑色光を透過する機能を有していてもよい。緑色光源８０８からの光は、フィルタ８３６およびフィルタ８２０を通過してトンネル８２８に向かうよう反射デバイス８３２において反射されていてもよい。フィルタ８３６は、緑色光を透過し、反射デバイス８４０を経由して青色光源８１２から受光する青色光を反射する機能を有していてもよい。上記の実施例と同様に、光源８０４、８０８、および８１２は、互いに実質的に同一平面上に配置されていてもよい。
【００４７】
図９は、本発明の別の実施例に係る照明装置９００を示す図である。本実施例において、プリズム９０４は、赤色光源９０８、緑色光源９１２、および青色光源９１６から受光し、受光した光を統合デバイス９２０に照射するよう配置されていてもよい。プリズム９０４は、第１面にフィルタコーティング９２４を有していてもよい。フィルタコーティング９２４は、光源９１６からの緑色光を第２面に透過する機能を有していてもよい。また、プリズム９０４は、後方の統合デバイス９２０に向けて緑色光を反射する機能を有するフィルタコーティング９２８を第２面に有していてもよい。フィルタコーティング９２８は、光源９１６からの青色光を透過する機能をさらに有していてもよい。フィルタコーティング９２４は、青色光および緑色光を透過する一方、光源９０８からの赤色光を反射する機能をさらに有していてもよい。
【００４８】
フィルタコーティングをプリズムの表層に配置することにより、フィルタを容易に配置することが可能となる。
【００４９】
説明を容易にするため、光路を相互に分離して示す。但し、本発明の実施例は、同一直線上の光路を有していてもよい。
【００５０】
本実施例では、フィルタコーティング９２４およびフィルタコーティング９２８がこのように選択的に反射および／または透過することにより、統合デバイス９２０へ繋がる実質的な共通光路への有色光路を容易に減少させることができる。
【００５１】
図１０は、本発明の別の実施例に係る照明装置１０００を示す図である。本実施例では、プリズム１００４は、赤色光源１００８、緑色光源１０１２、および青色光源１０１６から受光し、受光した光をトンネル１０２０に向けるよう配置されていてもよい。本実施例によれば、例えば、ヒートシンクを別々に設けるために相互に離間して配置される光源を、容易に設けることができる。
【００５２】
プリズム１００４は、光源１００８からの赤色光を反射し、緑色光源１０１２および青色光源１０１６の各々からの緑色光および青色光を透過する機能を有するフィルタコーティング１０２４を第１面上に有していてもよい。また、プリズム１００４は、光源１０１２からの緑色光を透過し、光源１０１６からの青色光を反射する機能を有するフィルタコーティング１０２８を第２面上に有していてもよい。本実施例では、光源１０１６からの青色光は、第２面でフィルタコーティング１０２８によって反射される前に第１面で内部的に反射されてもよい。
【００５３】
上記の実施例と同様に、説明を容易にするため、光路を互いに分離して示す。但し、本発明の実施例は、同一直線上の光路を有していてもよい。
【００５４】
本実施例において、図９に関連して上述した実施例と同様に、フィルタコーティング１０２４およびフィルタコーティング１０２８がこのように選択的に反射および／または透過することにより、統合デバイス９２０へ繋がる実質的な共通光路への有色光路を容易に少なくすることができる。
【００５５】
図１１は、本発明の実施例に係る投影システム１１００を示す図である。本実施例では、投影システム１１００は、データソース１１０８に接続される、例えばプロジェクタまたはプロジェクションテレビなどの投影装置１１０４を有していてもよい。さまざまな実施例において、データソース１１０８は、パーソナルコンピュータまたはラップトップコンピュータであってもよく、また、統合化されたテレビ・チューナ、デジタル多用途ディスク（ＤＶＤ）、セットトップボックス（ＳＴＢ）またはビデオ・カメラであってもよい。なお、データソース１１０８がこれらに限られないことは勿論である。
【００５６】
投影装置１１０４は、すでに記載および説明した照明装置のいずれかと同様の照明装置を有していてもよい。照明装置１１１２が発する光は、例えばライトモジュレータ１１１６などの撮像装置を照らすための光路に沿って伝播してもよい。ライトモジュレータ１１１２は、デジタルマイクロミラーデバイス（ＤＭＤ）、半導体上の反射する液晶（ＬＣＯＳ）装置、そして液晶装置（ＬＣＤ）を有していてもよい。なお、ライトモジュレータ１１１２が含むものはこれに限定されないことは勿論である。
【００５７】
ライトモジュレータ１１１６は、コントローラ１１２０からライトモジュレータ１１１６に出力される制御信号に基づいて調光してもよい。コントローラ１１２０は、データソース１１０８からカラー画像を表すカラー画像データを受信してもよく、画像データを、例えば赤色光データ、緑色光データ、および青色光データなどの構成色データに処理してもよい。その後、構成色データは、例えば赤色光源、緑色光源、および青色光源など、照明装置１１１２における対応する構成色光源の照射時間を制御すべく電源１１２４に送られる信号に適切に同期して、ライトモジュレータ１１１６に伝送されてもよい。さまざまな実施例において、コントローラは、汎用プロセッサ／コントローラ、特定用途向け集積回路（ＡＳＩＣ）、またはプログラマブルロジックデバイス（ＰＬＤ）を有していてもよい。
【００５８】
説明の目的において、静止画像は、フレームを１つだけ有する劣化したまたは特殊なビデオとみなしてもよい。したがって、静止画像およびビデオの用語が以下の記載において用いられるが、これらは本発明の実施例をどちらか一方に限定して解釈するものではない。
【００５９】
ライトモジュレータ１１１６による画像は、投影レンズ１１２８によって観賞用に投影されていてもよい。さまざまな光学部品は、所定の実施例に関連する特定の設計要素のため調整することができるよう、光路内に配置されてもよい。
【００６０】
ある実施例では、光学部品は、プロジェクタハウジング（図示せず）内の光学フレームに共に保持されていてもよい。ハウジングは機械的に堅固であってもよく、容易に放熱するよう設計されていてもよい。フレームおよびハウジングは、エアフローを生成することによって光学部品を冷却する冷却ファンを収容できるよう形成されていてもよい。また、冷却ファンおよびコントローラを作動させるために電源が用いられてもよい。
【００６１】
本明細書では、好ましい実施例を記載する目的で特定の実施例が図示および説明されている。しかし、同様の目的を達成すべく適用された多様な変形例および／または均等な実施例が、図示され説明された特定の実施例に本発明の権利範囲から逸脱することなく採用されてもよいことは、当業者が認めるところである。本発明は多様な実施例で実施してもよいことは、これら当業者が直ちに認めるところである。本出願は、本明細書において記載される実施例の改良やバリエーションを含むことを意図する。したがって、本発明が本明細書の請求項およびその均等物によってのみ画定されることを明確に意図する。
【図面の簡単な説明】
【００６２】
【図１】本発明の実施例に係る照明装置を示す図である。
【図２】本発明の別の実施例に係る照明装置を示す図である。
【図３】本発明の別の実施例に係る照明装置を示す図である。
【図４】本発明の別の実施例に係る照明装置を示す図である。
【図５】本発明の別の実施例に係る照明装置を示す図である。
【図６】本発明の別の実施例に係る照明装置を示す図である。
【図７】本発明の別の実施例に係る照明装置を示す図である。
【図８】本発明の別の実施例に係る照明装置を示す図である。
【図９】本発明の別の実施例に係る照明装置を示す図である。
【図１０】本発明の別の実施例に係る照明装置を示す図である。
【図１１】本発明の実施例に係る投影システムを示す図である。
【符号の説明】
【００６３】
１００  照明装置、  １０４  統合デバイス、  １０８  緑色光源、  １１０  レンズ、  １１２  緑色光源、  １１６  フィルタ、  １２０  青色光源、  １２４  フィルタ、  １２８  赤色光源、  １３２  フィルタ。
【国際調査報告】
2008542842.tif 000014